(57)【特許請求の範囲】
【請求項１】
外壁板を建物躯体に取り付ける外壁板取付金具であって、金属板材を成形してなり、前記外壁板の裏面に当接される外壁板裏面当接部と、前記外壁板の端部に係合される外壁板係合部とを有してなる外壁板取付金具において、
前記建物躯体側に凹陥するようにプレス絞り加工により形成されており、前記建物躯体に直接または介装材を介して取り付けられる主部と、この主部の縁部から前記建物躯体と反対側に突出するように、前記主部外かつ前記主部の両側に設けられた裏面当接部支持部とを有し、
前記裏面当接部支持部はプレス絞り加工されておらず、
前記外壁板裏面当接部は前記裏面当接部支持部の前記建物躯体と反対側の先端部に設けられており、前記外壁板係合部は前記両側の裏面当接部支持部の間に位置しており、
前記主部は、該主部の両側部をなしており、前記建物躯体と反対方向に突出する２つの側面部を有しており、
前記主部は、該主部がプレス絞り加工により形成された後、プレス曲げ加工を施されていない外壁板取付金具。
【請求項２】
前記主部の各前記側面部は平面状をなしており、各前記裏面当接部支持部は前記主部の各前記側面部と同一平面上にあり、各前記側面部に連続している請求項１記載の外壁板取付金具。
【請求項３】
前記主部のうちの最も前記建物躯体側に落ち込んでいる部分は平面状の基板部を構成しており、前記主部は前記基板部を前記建物躯体自体または前記介装材に沿わされた状態で、前記建物躯体に直接または前記介装材を介して取り付けられるようになっている請求項１または２記載の外壁板取付金具。
【請求項４】
前記外壁板係合部は、前記主部外に設けられている請求項１乃至３のいずれか１項に記載の外壁板取付金具。
【請求項５】
前記主部は周壁部が存在しない部分を一部に有している請求項１乃至４のいずれか１項に記載の外壁板取付金具。
【請求項６】
前記主部は全周に周壁部を有している請求項１乃至４のいずれか１項に記載の外壁板取付金具。
【請求項７】
前記基板部から前記外壁板係合部側に延び、前記基板部と同一平面上に位置する転倒防止部を設けられている請求項１乃至６のいずれか１項に記載の外壁板取付金具。
【請求項８】
前記外壁板係合部は、前記建物躯体と反対側に突出する前方突出部と、この前方突出部の先端部から折り曲げられた折り曲げ片とを有してなる請求項１乃至７のいずれか１項に記載の外壁板取付金具。
【請求項９】
複数の外壁板をこれらの外壁板の端部を互いに突き合わせた状態で建物躯体に取り付ける外壁板取付金具であって、
前記外壁板係合部は第一の外壁板係合部および第二の外壁板係合部を有し、前記第一の外壁板係合部は前記建物躯体と反対側に突出する前方突出部と、この前方突出部の先端部から折り曲げられた第一の折り曲げ片とを有してなり、前記第二の外壁板係合部は前記建物躯体と反対側に突出する前方突出部と、この前方突出部の先端部から前記第一の折り曲げ片と反対側に折り曲げられた第二の折り曲げ片とを有してなる請求項１乃至７のいずれか１項に記載の外壁板取付金具。
【発明の詳細な説明】
【技術分野】
【０００１】
本発明は、パネル状をなす外壁板（外壁材、外装材等と称されることもある）を建物躯体に取り付けるための外壁板取付金具に関する。
【背景技術】
【０００２】
近年においては、外壁板を建物躯体に取り付ける工法としては、外壁板を取付金具を介して建物躯体に取り付ける工法が一般的となっている。
【０００３】
本出願人は、先に特許文献１において、プレス絞り加工部を設けることにより、強度および剛性を従来より著しく高めることができ、施工時に大きな力が作用されたり、施工後、風や地震等により大きな力が作用しても変形し難く、外壁板の取付状態に異常を生じにくい、外壁板等のパネル状材の取付金具を提案した。
【先行技術文献】
【特許文献】
【０００４】
【特許文献１】特許第２９６８２７１号公報
【発明の概要】
【発明が解決しようとする課題】
【０００５】
しかしながら、前記本出願人が提案した外壁板取付金具においては、該金具が外壁板を剛に支持するため、強風等により外壁板に大きな力が作用したとき、外壁板が割れてしまったり、大きな地震や子供等が外壁板にぶつかる等により大きな衝撃が作用した際、その衝撃を吸収することができない等の問題があった。
【０００６】
本発明は、このような従来の事情に鑑みてなされたもので、本発明の目的の一つは、外壁板を柔軟に支持することにより、強風等により外壁板に大きな力が作用しても、外壁板が割れてしまうことがなく、また大きな地震や子供等が外壁板にぶつかる等により大きな衝撃が作用しても、その衝撃を吸収することができ、しかも取付金具のうちの大きな強度および剛性が必要とされる部分には、要求される通りに大きな強度および剛性を付与することができる外壁板取付金具を提供することにある。
【０００７】
本発明の他の目的は、以下の説明から明らかになろう。
【課題を解決するための手段】
【０００８】
本発明による外壁板取付金具は、
外壁板を建物躯体に取り付ける外壁板取付金具であって、金属板材を成形してなり、前記外壁板の裏面に当接される外壁板裏面当接部と、前記外壁板の端部に係合される外壁板係合部とを有してなる外壁板取付金具において、
前記建物躯体側に凹陥するようにプレス絞り加工により形成されており、前記建物躯体に直接または介装材を介して取り付けられる主部と、この主部の縁部から前記建物躯体と反対側に突出するように、前記主部外かつ前記主部の両側に設けられた裏面当接部支持部とを有し、
前記裏面当接部支持部はプレス絞り加工されておらず、
前記外壁板裏面当接部は前記裏面当接部支持部の前記建物躯体と反対側の先端部に設けられており、前記外壁板係合部は前記両側の裏面当接部支持部の間に位置しており、
前記主部は、該主部の両側部をなしており、前記建物躯体と反対方向に突出する２つの側面部を有しており、
前記主部は、該主部がプレス絞り加工により形成された後、プレス曲げ加工を施されていないものである。
【０００９】
本発明の外壁板取付金具においては、裏面当接部支持部が、プレス絞り加工された主部の縁部から建物躯体と反対側に突出するように、主部外に設けられており、これらの裏面当接部支持部の先端部に外壁板裏面当接部が設けられているので、取付金具が外壁板を柔軟に支持する。このため、強風等により外壁板に大きな力が作用しても、外壁板が割れてしまうことがなく、また大きな地震や子供等が外壁板にぶつかる等により大きな衝撃が作用しても、その衝撃を吸収することができる。
【００１０】
そして、建物躯体に直接または介装材を介して取り付けられる主部はプレス絞り加工により形成されているので、取付金具のうちの大きな強度および剛性が必要とされる部分には、要求される通りに大きな強度および剛性を付与することができる。
【発明の効果】
【００１１】
本発明の外壁板取付金具は、外壁板を柔軟に支持することにより、強風等により外壁板に大きな力が作用しても、外壁板が割れてしまうことがなく、また大きな地震や子供等が外壁板にぶつかる等により大きな衝撃が作用しても、その衝撃を吸収することができ、しかも取付金具のうちの大きな強度および剛性が必要とされる部分には、要求される通りに大きな強度および剛性を付与することができる等の優れた効果を得られるものである。
【図面の簡単な説明】
【００１２】
【図１】本発明による外壁板取付金具の実施例１を示す斜視図である。
【図２】主部（プレス絞り加工部分）の範囲を明確にするため、前記実施例１の取付金具の斜視図において、主部に網線を施した図である。
【図３】前記実施例１の取付金具を示す正面図である。
【図４】前記実施例１の取付金具を示す側面図である。
【図５】前記実施例１の取付金具を示す平面図である。
【図６】図３のＶＩ−ＶＩ線における断面図である。
【図７】外壁板を所謂横貼りする様子を示す正面図である。
【図８】外壁板を所謂縦貼りする様子を示す正面図である。
【図９】前記実施例１の取付金具を用いた外壁板の取付構造の一例において、取付金具をビス止めする前の状態を示す断面図である。
【図１０】前記外壁板の取付構造例において、ビス止めを完了した後、上段側の外壁板の下端部を取付金具に係合した状態を示す断面図である。
【図１１】前記実施例１の取付金具において、建物躯体ないしは介装材上における該取付金具の転倒が転倒防止部の存在により防止される説明図である。
【図１２】本発明による外壁板取付金具の実施例２を示す斜視図である。
【図１３】前記実施例２の取付金具を示す断面図である。
【図１４】主部（プレス絞り加工部分）の範囲を明確にするため、前記実施例２の取付金具の斜視図において主部に網線を施した図である。
【図１５】本発明による外壁板取付金具の実施例３を示す斜視図である。
【図１６】前記実施例３の取付金具を示す断面図である。
【図１７】主部（プレス絞り加工部分）の範囲を明確にするため、前記実施例３の取付金具の斜視図において主部に網線を施した図である。
【発明を実施するための形態】
【００１３】
以下、本発明を図面に示す実施例に基づいて説明する。
【実施例１】
【００１４】
図１〜６は本発明による外壁板取付金具の実施例１、図９および１０は該実施例１の取付金具を用いた外壁板の取付構造の一例を示している。
【００１５】
外壁板取付金具１は、鋼板、ステンレス鋼板、アルミニウム合金板等からなる１枚の金属板をプレス加工により成形してなり、主部２、１対の裏面当接部支持部３、１対の外壁板裏面当接部４、係合部支持部５および外壁板係合部６等を一体的に有している。前記主部２は、プレス絞り加工により形成されており、取付金具１が建物躯体７（図９〜１１参照）に直接、または下地材もしくは断熱材等の介装材８を介して取り付けられた際、建物躯体７側となる方向に凹陥している。図２は、本実施例における主部２（プレス絞り加工部分）の範囲を明確にするため、取付金具１の斜視図において、主部に網線を施した図である。この主部２は、該主部２のうちの建物躯体７側に最も落ち込んでいる部分である平面状の基板部２ａと、図１〜４および６上、基板部２ａの下端部から建物躯体７と反対方向斜め下方に突出する斜面部２ｂと、基板部２ａおよび斜面部２ｂの左右両端部から建物躯体７と反対方向に突出する２つの平面状の側面部２ｃとを一体的に有している。前記斜面部２ｂおよび２つの側面部２ｃは主部２の周壁部を構成している。前記主部２は、完全な容器状とはなっておらず、図１〜４および６上の上方（後で詳しく説明する外壁板係合部６と反対側の端部）は周壁部が存在せず、開放されている。
【００１６】
前記基板部２ａは、建物躯体７自体または胴縁あるいは間柱等の下地材もしくは断熱材等の介装材８に沿わされた状態で建物躯体７に直接または介装材８を介して取り付けられるようになっている。前記基板部２ａには、取付金具１を介装材８を介してまたは直接建物躯体７に取り付けるためのビス穴９が設けられている。前記斜面部２ｂの一部は、プレス切り起こし加工を施されることにより、基板部２ａから図１〜４および６上の下方（後で詳しく説明する外壁板係合部６側）に延びる転倒防止部１０を構成しており、この転倒防止部１０は、基板部２ａと同一平面上に位置している。
【００１７】
前記１対の裏面当接部支持部３は、主部２外かつ主部２の両側に設けられており、主部２の縁部から建物躯体７と反対側に突出している。各裏面当接部支持部３は各側面部２ｃと同一平面上にあり、主部２の側面部２ｃに連続している。前記１対の外壁板裏面当接部４は、プレス折り曲げ加工により各裏面当接部支持部３から直角外側に折り曲げられることにより、各裏面当接部支持部３の建物躯体７と反対側の先端部に設けられている。
【００１８】
前記係合部支持部５は、主部２外かつ斜面部２ｂの図１〜４および６上の下方に設けられており、この係合部支持部５はプレス折り曲げ加工により斜面部２ｂから図１〜４および６上の下方側に基板部２ａと平行方向に折り曲げられている。
【００１９】
前記外壁板係合部６は、係合部支持部５の図１〜４および６上の下端部に設けられている。この外壁板係合部６は、第一の外壁板係合部６ａと第二の外壁板係合部６ｂとを有している。前記第一の外壁板係合部６ａは、係合部支持部５からプレス折り曲げ加工により建物躯体７と反対側に突出するように折り曲げられた前方突出部１１と、この前方突出部１１の先端部中央側部分からプレス折り曲げ加工により図１〜４および６上で斜め上方に折り曲げられた第一の折り曲げ片１２とを有してなる。前記第二の外壁板係合部６ｂは、第一の外壁板係合部６ａと共通の前方突出部１１と、この前方突出部１１の先端部の両端側部分からプレス折り曲げ加工により図１〜４および６上で斜め下方に折り曲げられた１対の第二の折り曲げ片１３とを有してなる。
【００２０】
なお、前記裏面当接部支持部３、係合部支持部５および外壁板係合部６は、プレス絞り加工されていないので、各裏面当接部支持部３と係合部支持部５の両側端部および前方突出部１１の両側端部とは互いに連続していない。
【００２１】
次に、この取付金具１による外壁板１４の取付例を図７〜１０を用いて説明する。外壁板１４を建物躯体７に取り付ける際には、一般に、図７のように外壁板１４を横長とし、各外壁板１４の上端部と下端部とを突き合わせて、順次下段側から上段側へと外壁板１４を取り付けて行く場合（所謂横貼り）と、図８のように外壁板１４を縦長とし、各外壁板１４の左端部と右端部とを突き合わせて、順次左から右または右から左側に外壁板１４を取り付けて行く場合（所謂縦貼り）とがある。図９および１０は、図７のように所謂横貼りを行う場合の取り付け方法を示している。また、この例では、胴縁または間柱等の下地材である介装材８を介して建物躯体７に取付金具１を取り付けることとしている。各外壁板１４の上端部には、その外面側を切り欠くことにより第一の実部１５が形成されている一方、外壁板１４の下端部（図１０参照）には、その内面側を切り欠くことにより第二の実部１６が形成されている。また、各外壁板１４の下端部には、第二の実部１６の内面に接するようにして係合溝１７が形成されている。
【００２２】
この場合、まず図９に示されるように、取付金具１の外壁板裏面当接部４と前方突出部１１と第二の折り曲げ片１３との間に下段側の外壁板１４の第一の実部１５が挿入されるようにして、下段側の外壁板１４の上端部に取付金具１の第二の外壁板係合部６ｂおよび外壁板裏面当接部４を係合する。なお、このとき、取付金具１は、前方突出部１１が水平方向となる向きとするとともに、基板部２ａが介装材８に沿わされた状態となるようにする。
【００２３】
次に、ビス穴９を用いてビス１８により、図１０に示されるように取付金具１を介装材８にビス留めし、取付金具１を介装材８を介して建物躯体７に取り付ける。これにより、基板部２ａが介装材８に沿わされた状態で、取付金具１が介装材８に固定され、ひいてはこの取付金具１を介して下段側の外壁板１４の上端部が建物躯体７に取り付けられる。続いて、上段側の外壁板１４の下端部の係合溝１７内に取付金具１の第一の折り曲げ片１２が侵入係合し、上段側の外壁板１４の下端部が前方突出部１１上に載置されるようにして、上段側の外壁板１４の下端部に取付金具１の第一の外壁板係合部６ａおよび外壁板裏面当接部４を係合するとともに、上段側の外壁板１４の下端部を下段側の外壁板１４の上端部に突き合わせる。
【００２４】
以後、同様にして順次下段側から上段側へと外壁板１４を取り付けて行くことにより、外壁板１４を相じゃくり方式で互いに上下に突き合わせた状態で建物躯体７に取り付けて行くことができる（互いに突き合わされ外壁板１４の上下端部間には取付金具１の前方突出部１１が挟まれた状態となる）。
【００２５】
このような取付状態において、前方突出部１１は、外壁板１４の上下端部に対向ないしは当接され、上下方向の移動を防止する。また、外壁板裏面当接部４は外壁板１４の裏面に当接され、外壁板１４の建物躯体７側への移動を防止するとともに、外壁板１４の裏面と介装材８ひいては建物躯体７との間に一定の間隙を確保する。
【００２６】
なお、ここでは、図７のように所謂横貼りを行う場合について説明したが、図８のように所謂縦貼りを行う場合には、図９および１０と比較し取付金具１を９０度回転した向き、すなわち前方突出部１１が鉛直方向となる向きにして、図９および１０の場合と同様に取付金具１を使用して外壁板１４を介装材８を介して建物躯体７に取り付けることができる。
【００２７】
この外壁板取付金具１においては、裏面当接部支持部３がプレス絞り加工された主部２の縁部から建物躯体７と反対側に突出するように主部２外に設けられており、この裏面当接部支持部３の先端部に外壁板裏面当接部４が設けられているので、外壁板取付金具１が外壁板１４を柔軟に支持する。このため、強風等により外壁板に大きな力が作用しても、外壁板が割れてしまうことがなく、また大きな地震や子供等が外壁板にぶつかる等により大きな衝撃が作用しても、その衝撃を吸収することができる。
【００２８】
また、本実施例では、外壁板係合部６も、プレス絞り加工された主部２外に設けられているので、取付金具１が外壁板１４をより一層柔軟に支持するようにすることができる。
【００２９】
そして、建物躯体７に直接または介装材８を介して取り付けられる主部２はプレス絞り加工により形成されているので、取付金具１のうちの大きな強度および剛性が必要とされる部分には、要求される通りに大きな強度および剛性を付与することができる。
【００３０】
また、本実施例では、基板部２ａと同一平面上に位置する転倒防止部１０が設けられているので、外壁板取付金具１が建物躯体７または介装材８上で図１１において矢印Ａ方向に転倒してしまうのを防止することができる。
【実施例２】
【００３１】
図１２〜１４は、本発明の実施例２を示している。本実施例においては、転倒防止部１０はプレス絞り加工で形成された主部２の一部をさらにプレス絞り加工することにより構成されている。前記転倒防止部１０は、実施例１の場合と同様に基板部２ａと同一平面上に位置しており、外壁板取付金具１が建物躯体７または介装材８上で転倒してしまうのを防止する。
【００３２】
図１４は、本実施例における主部２（プレス絞り加工部分）の範囲を明確にするため、取付金具１の斜視図において、主部に網線を施した図である。
【００３３】
本実施例においては、実施例１の場合と異なり、主部２に切り起こし部（転倒防止部１０）が設けられていないので、主部２の剛性および強度を一層向上することができる。
【実施例３】
【００３４】
図１５〜１７は、本発明による取付金具１の実施例３を示している。本実施例においては、プレス絞り加工された主部２は、外壁板係合部６と反対側の面も閉じられており、全周に周壁部を有する完全な容器状となっている。本実施例においては、実施例１（周壁部が存在しない部分を一部に有し、完全な容器状となっていない）に比較し、主部２の強度および剛性を高めることができる。ただし、実施例１の場合は加工が容易になるとともに、材料を節約しコスト低減を図ることができるという利点がある。
【００３５】
なお、図９〜１１は、胴縁または間柱等の下地材である介装材８を介して建物躯体７に取付金具１を取り付ける例であるが、本発明による外壁材取付金具は、建物躯体に直接取り付けたり，断熱材を介して建物躯体に取り付けてもよい。
【００３６】
また、前記各実施例においては、ビス１８を用いて外壁板取付金具１を介装材８に取り付けているが、本発明の外壁材取付金具は釘等の他の手段により建物躯体または介装材に取り付けてもよい。
【００３７】
また、前記各実施例では、第一の外壁板係合部６ａおよび第二の外壁板係合部６ｂの前方突出部１１は共通であったが、本発明においては、第一の外壁板係合部および第二の外壁板係合部がそれぞれ別の分離された前方突出部を有するようにしてもよい。
【産業上の利用可能性】
【００３８】
以上のように本発明による外壁板取付金具は、外壁板を建物躯体に取り付けるための外壁板取付金具として有用である。
【符号の説明】
【００３９】
１    外壁板取付金具
２    主部
２ａ  基板部
２ｂ  斜面部
２ｃ  側面部
３    裏面当接部支持部
４    外壁板裏面当接部
５    係合部支持部
６    外壁板係合部
６ａ  第一の外壁板係合部
６ｂ  第二の外壁板係合部
７    建物躯体
８    介装材
９    ビス穴
１０    転倒防止部
１１    前方突出部
１２    第一の折り曲げ片
１３    第二の折り曲げ片
１４    外壁板
【図１】
0005731804.tif 000002
【図２】
0005731804.tif 000003
【図３】
0005731804.tif 000004
【図４】
0005731804.tif 000005
【図５】
0005731804.tif 000006
【図６】
0005731804.tif 000007
【図７】
0005731804.tif 000008
【図８】
0005731804.tif 000009
【図９】
0005731804.tif 000010
【図１０】
0005731804.tif 000011
【図１１】
0005731804.tif 000012
【図１２】
0005731804.tif 000013
【図１３】
0005731804.tif 000014
【図１４】
0005731804.tif 000015
【図１５】
0005731804.tif 000016
【図１６】
0005731804.tif 000017
【図１７】
0005731804.tif 000018